(57)【要約】【課題】本発明の目的は、加湿性能を向上させることができる除加湿装置を提供することである。【解決手段】除加湿装置１００は、冷凍サイクルユニット６０と、加湿部材４１と、制御部２５０ａとを備える。冷凍サイクルユニット６０は、除湿運転時に吸い込み空気を露点以下に冷やす蒸発器６１と、放熱器６３とを含む。加湿部材４１は、加湿運転時に供給された水を一時的に保持し、水を空気中に放出する。制御部２５０ａは、除湿運転及び加湿運転を含む運転を制御する。放熱器６３を通過した空気が加湿部材４１を通過するように、放熱器６３及び加湿部材４１が配置されている。制御部２５０ａが加湿運転時に冷凍サイクルユニット６０を動作させることで、放熱器６３を通過して加熱された空気が加湿部材４１を通過する。【選択図】図９
2014231926.tif 000002
【特許請求の範囲】
【請求項１】
空気を吸い込み、室内に吹き出すためのファン（５０）と、
除湿運転時に吸い込み空気を露点以下に冷やす蒸発器（６１）及び放熱器（６３）を含む冷凍サイクル装置（６０）と、
加湿運転時に供給された水を一時的に保持し、水を空気中に放出する加湿部材（４１）と、
前記除湿運転及び前記加湿運転を含む運転を制御する制御部（２５０ａ）と、
を備え、
前記放熱器を通過した空気が前記加湿部材を通過するように、前記放熱器及び前記加湿部材が配置されており、
前記制御部が前記加湿運転時に前記冷凍サイクル装置を動作させることで、前記放熱器を通過して加熱された空気が前記加湿部材を通過する、除加湿装置。
【請求項２】
吸い込み空気の上流側から下流側に沿って前記蒸発器及び前記放熱器が配置されるとともに、吸い込み空気の流れ方向から見て前記放熱器の一部分は前記蒸発器と重畳していない、請求項１に記載の除加湿装置。
【請求項３】
前記放熱器には、前記蒸発器と重畳していない一部分側から冷媒が供給される、請求項２に記載の除加湿装置。
【請求項４】
前記冷凍サイクル装置は、前記蒸発器及び前記放熱器に接続される圧縮機（６７）をさらに含み、
前記制御部は、前記加湿運転時の初期のみにおいて前記圧縮機を運転する、請求項１に記載の除加湿装置。
【請求項５】
前記制御部は、前記加湿運転時に、湿度の上昇を示す所定の条件に基づいて前記圧縮機を停止する、請求項４に記載の除加湿装置。
【請求項６】
前記所定の条件には、所定の湿度、前記加湿運転の開始からの経過時間及び前記蒸発器の温度の少なくとも１つが含まれる、請求項５に記載の除加湿装置。
【請求項７】
前記冷凍サイクル装置は、
前記蒸発器及び前記放熱器に接続される圧縮機（６７）と、
前記圧縮機と前記蒸発器とを接続する経路に設けられたホットガスバイパス弁（１５０）と、
をさらに含み、
前記制御部は、前記加湿運転時に、前記ホットガスバイパス弁の開度を調節することで前記蒸発器の温度を調整し、前記蒸発器での除湿を抑制する、請求項１に記載の除加湿装置。
【請求項８】
前記冷凍サイクル装置は、
前記蒸発器と前記放熱器との間に設けられた電動弁（１６０）をさらに含み、
前記制御部は、前記加湿運転時に、前記電動弁の開度を調節することで前記蒸発器の温度を調整し、前記蒸発器での除湿を抑制する、請求項１に記載の除加湿装置。
【発明の詳細な説明】
【技術分野】
【０００１】
本発明は、除加湿装置に関する。
【背景技術】
【０００２】
特許文献１（特開２００３−２９４２７７号公報）には、ヒータ加熱式と気化式とを併用した加湿器が開示されている。特許文献１の加湿器は、主に、送風装置と、水槽と、回転式の加湿フィルタと、ヒータとを備えている。外部から水を供給するための水タンクから水槽内に水が供給され、水槽内に水が貯留される。加湿フィルタは水槽内に一部が浸漬しており、回転により加湿フィルタ全体に水が行き渡る。ヒータは送風装置からの風を加熱して温風を生成し、加湿フィルタに供給する。加湿フィルタに吸湿された水は、温風により気化され、加湿空気となって加湿器外部に放出される。このように特許文献１は加湿器においてより効率的に加湿する構成を開示している。
【発明の概要】
【発明が解決しようとする課題】
【０００３】
近年、除湿及び加湿の両機能を備える除加湿装置が開発されている。しかし、このような除加湿装置において、加湿性能を向上させる構成については提案されていない。
【０００４】
そこで、本発明の目的は、加湿性能を向上させることができる除加湿装置を提供することである。
【課題を解決するための手段】
【０００５】
本発明の第１観点に係る除加湿装置は、ファンと、冷凍サイクル装置と、加湿部材と、制御部とを備える。ファンは、空気を吸い込み、室内に吹き出す。冷凍サイクル装置は、除湿運転時に吸い込み空気を露点以下に冷やす蒸発器と、放熱器とを含む。加湿部材は、加湿運転時に供給された水を一時的に保持し、水を空気中に放出する。制御部は、除湿運転及び加湿運転を含む運転を制御する。ここで、放熱器を通過した空気が加湿部材を通過するように、放熱器及び加湿部材が配置されている。制御部が加湿運転時に冷凍サイクル装置を動作させることで、放熱器を通過して加熱された空気が加湿部材を通過する。
【０００６】
上記構成により、放熱器が放出した熱により放熱器から加湿部材に向かう空気が温められる。よって、加湿部材には温められた空気が供給される。そのため、加湿部材からの水の放出量が多くなり加湿能力が向上する。
【０００７】
本発明の第２観点に係る除加湿装置は、第１観点に係る除加湿装置において、吸い込み空気の上流側から下流側に沿って蒸発器及び放熱器が配置される。また、吸い込み空気の流れ方向から見て放熱器の一部分は蒸発器と重畳していない。
【０００８】
これにより、吸い込み空気の一部は、蒸発器によって温度が低下されることなく放熱器で温められるため、より高温の空気を加湿部材に供給することができる。よって、加湿部材での加湿能力をより向上することができる。
【０００９】
本発明の第３観点に係る除加湿装置は、第２観点に係る除加湿装置において、放熱器には、蒸発器と重畳していない一部分側から冷媒が供給される。
【００１０】
これにより、放熱器のうち蒸発器と重畳していない一部分を通過する空気は、蒸発器の通過による温度の低下がなく、かつ、高温の冷媒によって温められる。そのため、より高温の空気を加湿部材に供給し、加湿部材での加湿能力をより向上することができる。
【００１１】
本発明の第４観点に係る除加湿装置は、第１観点に係る除加湿装置において、冷凍サイクル装置は、蒸発器及び放熱器に接続される圧縮機をさらに含む。制御部は、加湿運転時の初期のみにおいて圧縮機を運転する。
【００１２】
これにより、加湿と除湿とが並行して行われるような圧縮機の非効率的な運転を抑制することができる。
【００１３】
本発明の第５観点に係る除加湿装置は、第４観点に係る除加湿装置において、制御部は、加湿運転時に、湿度の上昇を示す所定の条件に基づいて圧縮機を停止する。
【００１４】
上記構成により、制御部は、加湿運転時に湿度が上昇すると圧縮機を停止し、圧縮機の非効率的な運転を抑制する。
【００１５】
本発明の第６観点に係る除加湿装置は、第５観点に係る除加湿装置において、所定の条件には、所定の湿度、加湿運転の開始からの経過時間及び蒸発器の温度の少なくとも１つが含まれる。
【００１６】
上記条件により、湿度の上昇を把握することができる。
【００１７】
本発明の第７観点に係る除加湿装置は、第１観点に係る除加湿装置において、冷凍サイクル装置は、圧縮機と、ホットガスバイパス弁とをさらに含む。圧縮機は、蒸発器及び放熱器に接続される。ホットガスバイパス弁は、圧縮機と蒸発器とを接続する経路に設けられている。制御部は、加湿運転時に、ホットガスバイパス弁の開度を調節することで蒸発器の温度を調整し、蒸発器での除湿を抑制する。
【００１８】
上記構成において、制御部は、加湿運転時に、除湿機能を抑制する場合には、ホットガスバイパス弁の開度を大きくする。よって、蒸発器での結露開始ポイントが後ろにずれ、蒸発器での除湿を抑制することができる。結果として、加湿能力の低下を抑制することができる。
【００１９】
本発明の第８観点に係る除加湿装置は、第１観点に係る除加湿装置において、冷凍サイクル装置は、電動弁をさらに含む。電動弁は、蒸発器と放熱器との間に設けられている。制御部は、加湿運転時に、電動弁の開度を調節することで蒸発器の温度を調整し、蒸発器での除湿を抑制する。
【００２０】
上記構成において、制御部は、加湿運転時に、蒸発器と放熱器との間に設けられた電動弁の開度を調節する。よって、蒸発器での結露開始ポイントが後ろにずれ、蒸発器での除湿を抑制することができる。結果として、加湿能力の低下を抑制することができる。
【発明の効果】
【００２１】
本発明の第１観点に係る除加湿装置では、加湿部材からの水の放出量が多くなり加湿能力が向上する。
【００２２】
本発明の第２観点に係る除加湿装置では、加湿部材での加湿能力をより向上することができる。
【００２３】
本発明の第３観点に係る除加湿装置では、より高温の空気を加湿部材に供給し、加湿部材での加湿能力をより向上することができる。
【００２４】
本発明の第４及び第５観点に係る除加湿装置では、圧縮機の非効率的な運転を抑制することができる。
【００２５】
本発明の第６観点に係る除加湿装置では、湿度の上昇を把握することができる。
【００２６】
本発明の第７及び第８観点に係る除加湿装置では、加湿能力の低下を抑制することができる。
【図面の簡単な説明】
【００２７】
【図１】本発明の実施形態に係る除加湿装置１００の外観図である。
【図２】除加湿装置１００の分解斜視図である。
【図３】前パネル１００ｂ及び前フレーム３０を外し、除加湿装置１００を前面からみた場合の配置図である。
【図４】蒸発器６１、放熱器６３、加湿部材４１、ファンベルマウス４７ａ及びスクロールケーシング５３の配置を前面からみた場合の配置図である。
【図５】除加湿装置１００の図１におけるＩ−Ｉ切断面での側面断面図である。
【図６】冷凍サイクルユニット６０の配管系統図である。
【図７】除加湿装置１００における塵埃の除去および分解の概念を説明するための概念図である。
【図８】除加湿装置１００の機能構成を示すブロック図である。
【図９】除加湿装置１００の側面断面における模式図である。
【図１０】蒸発器６１及び放熱器６３を介して加湿部材４１に供給される空気の流れを示す模式図である。
【図１１】放熱器６３の冷媒配管を示す模式図である。
【図１２】冷凍サイクルユニット６０の別の配管系統図である。
【図１３】冷凍サイクルユニット６０の別の配管系統図である。
【図１４】蒸発器６１、放熱器６３及び加湿部材４１の別の配置構成を説明する模式図である。
【図１５】蒸発器６１及び放熱器６３を介して加湿部材４１に供給される空気の流れを示す模式図である。
【発明を実施するための形態】
【００２８】
以下、図面を参照しながら、本発明の実施形態について説明する。なお、以下の実施形態は、本発明の具体例であって、本発明の技術的範囲を限定するものではない。
【００２９】
＜実施形態＞
以下の説明において、上、下、左、右、正面（前）、背面（後）といった方向を示す語句を用いているが、これらの方向は、特にことわりのない限り、図１に示す方向を意味する。
【００３０】
（１）除加湿装置の概略構成
図１は、本発明の実施形態に係る除加湿装置１００の外観図である。除加湿装置１００は、内部の各種部材を含む本体１００ａと、当該本体１００ａを覆う複数のケーシング部材１００ｂ〜１００ｇと、操作パネルユニット１００ｆとから構成されている。
【００３１】
本体１００ａには、後述する放電ユニット１１、ストリーマ放電ユニット１３、フィルタユニット２０、加湿ユニット４０、シロッコファン５０、冷凍サイクルユニット６０及び電装品ユニット９０等が収納されている。
【００３２】
本体１００ａの正面は、ケーシング部材の１つである合成樹脂製の前パネル１００ｂに覆われている。前パネル１００ｂの下方には、前パネル１００ｂに覆われていない部分があり、当該部分に下吸込口１１１が設けられている。本体１００ａの下部には、本体１００ａの下部を覆う底フレーム１００ｇが設けられている。
【００３３】
また、本体１００ａの左側面は複数のパネルを含む側壁パネル１００ｄにより覆われている。側壁パネル１００ｄの一部には、除加湿装置１００の左側方から空気を取り込む第１側方吸込口１１３ａが縦方向に延びるように形成されている。また、図示されていないが、除加湿装置１００の反対側の右側面の一部にも同様に、除加湿装置１００の右側方から空気を取り込む第２側方吸込口１１３ｂが形成されている。
【００３４】
本体１００ａの後面及び右側面は、ケーシング部材の１つである合成樹脂製の後パネル１００ｃに覆われている。また、本体１００ａの上部は、吹出口羽根１００ｅ及び操作パネルユニット１００ｆにより覆われている。吹出口羽根１００ｅは図示しない駆動部により駆動され開閉動作を行う。吹出口羽根１００ｅが開くことにより吹出口１１５（図４参照）が露出される。吹出口１１５は、除加湿装置１００の上部に設けられており、除加湿装置１００内に吸い込まれた空気を外部に吹き出す。
【００３５】
操作パネルユニット１００ｆは、プリント基板１００ｆ−１、操作パネルカバー１００ｆ−２及び操作表示蓋１００ｆ−３を含む。操作パネルカバー１００ｆ−２は、プリント基板１００ｆ−１を覆う部材であり、各種運転スイッチ１０１及び操作表示部１０２等が設けられている。プリント基板１００ｆ−１には、各種運転スイッチ１０１及び操作表示部１０２等の操作に応じた信号を処理する電子部品が設けられている。操作表示蓋１００ｆ−３は操作パネルカバー１００ｆ−２を覆う部材である。
【００３６】
（２）除加湿装置の詳細構成
図２は、除加湿装置１００の分解斜視図である。図３は、前パネル１００ｂ及び前フレーム３０を外し、除加湿装置１００を前面からみた場合の配置図である。図４は、蒸発器６１、放熱器６３、加湿部材４１、ファンベルマウス４７ａ及びスクロールケーシング５３の配置を前面からみた場合の配置図である。図５は、除加湿装置１００の図１におけるＩ−Ｉ切断面での側面断面図である。
【００３７】
除加湿装置１００は、放電ユニット１１、ストリーマ放電ユニット１３、フィルタユニット２０、前フレーム３０、除湿フレーム３３、後フレーム４７、シロッコファン５０等を含む。また、除加湿装置１００は、前フレーム３０と除湿フレーム３３との間に冷凍サイクルユニット６０を含む。さらに、除加湿装置１００は、除湿フレーム３３と後フレーム４７との間に加湿ユニット４０及び水タンク７１を含む。除湿タンクユニット８０は除湿フレーム３３に取り付けられる。また、除加湿装置１００は、後フレーム４７の上部において電装品ユニット９０を収容する。
【００３８】
（２−１）放電ユニット１１
放電ユニット１１は、縦長の筒状の形状をしている。放電ユニット１１は、第１放電ユニット１１ａ及び第２放電ユニット１１ｂを含む。第１放電ユニット１１ａ及び第２放電ユニット１１ｂは、それぞれ第１側方吸込口１１３ａ及び第２側方吸込口１１３ｂの近傍に設けられている。よって、第１側方吸込口１１３ａから取り込まれた空気は第１放電ユニット１１ａを通過し、第２側方吸込口１１３ｂから取り込まれた空気は第２放電ユニット１１ｂを通過する。第１放電ユニット１１ａは、正極であるタングステン製のイオン化線と、負極であるステンレス金属製の板状の電極とを含む。正極であるイオン化線に高電圧を印加すると、正極と負極電極間に電位差が生じコロナ放電が生じる。第１放電ユニット１１ａを通過する空気中の塵埃はこの放電により帯電する。第２放電ユニット１１ｂの構成は第１放電ユニット１１ａの構成と同様であるので説明を省略する。
【００３９】
（２−２）フィルタユニット２０
図２に示されているように、フィルタユニット２０は、プレフィルタ２１と集塵フィルタ２３と脱臭フィルタ２５とで構成されている。まず、プレフィルタ２１によって大きな塵埃が取り除かれる。次に、集塵フィルタ２３によって、放電ユニット１１を通過して帯電したさらに微細な塵埃が取り除かれる。さらに、集塵フィルタ２３を通過した空気は、活性炭などを含む脱臭フィルタ２５によってホルムアルデヒドや臭い成分などが分解され、或いは吸着される。
【００４０】
（２−３）前フレーム３０
前フレーム３０は、フィルタユニット２０を前面である前パネル１００ｂ側に収容し、ストリーマ放電ユニット１３を上部に収容する。また、前フレーム３０には、後述の図７で示す２つの鉛直風通路部材３３０が設けられている。除加湿装置１００の第１側方吸込口１１３ａ及び第２側方吸込口１１３ｂは、上述のとおり鉛直方向に長い開口であるが、２つの鉛直風通路部材３３０（図７参照）は第１側方吸込口１１３ａ及び第２側方吸込口１１３ｂに沿う方向に配置されている。各鉛直風通路部材３３０には、複数の放出口３３１が第１側方吸込口１１３ａ及び第２側方吸込口１１３ｂの鉛直方向に沿うように形成されている。
【００４１】
（２−４）ストリーマ放電ユニット１３
ストリーマ放電ユニット１３は、放電ストリーマ本体１３ａ及び放電ストリーマガイド部１３ｂを含む。
【００４２】
放電ストリーマ本体１３ａは、正極であるタングステン製の針状の電極と、当該針状電極の近傍に位置し、当該電極に対向する板状の電極（対向電極）とを有する。針状電極に高電圧を印加することによりプラズマ放電の一種であるストリーマ放電が発生する。当該放電発生の際に酸化分解力の高い活性種が生成される。
【００４３】
放電ストリーマガイド部１３ｂは、放電ストリーマ本体１３ａで生成された活性種を鉛直風通路部材３３０に導入する。
【００４４】
ストリーマ放電ユニット１３に流入する空気及び流出する空気の流れは次の通りである。シロッコファン５０から吹き出される空気のうちの一部である支流５０２（図７参照）が、ストリーマ放電ユニット１３に送られる。この支流５０２が放電ストリーマ本体１３ａを通過するときに、ストリーマ放電によって活性種が供給される。活性種の供給された支流５０２は、後述の図７で示す２つの鉛直風通路部材３３０に導入される。鉛直風通路部材３３０へ流入した活性種を含む空気は、放出口３３１を通過して複数の分流となってフィルタユニット２０のプレフィルタ２１の前に吹き出される。複数の分流は、プレフィルタ２１から吸い込まれる室内空気に合流して集塵フィルタ２３及び脱臭フィルタ２５にまで到達する。この際、活性種は、集塵フィルタ２３に吸着された塵埃や細菌などを分解して浄化する。
【００４５】
（２−５）除湿フレーム３３、後フレーム４７
除湿フレーム３３は前フレーム３０の後部に設けられている。除湿フレーム３３は、前面である前パネル１００ｂ側に、冷凍サイクルユニット６０を収容する。つまり、冷凍サイクルユニット６０は、前フレーム３０と除湿フレーム３３との間に配置されている。
【００４６】
また、除湿フレーム３３は、後面である後パネル１００ｃ側に、加湿ユニット４０及び水タンク７１を収容する。さらに、除湿フレーム３３は、除湿運転時に凝縮した水を貯水する除湿タンクユニット８０を底面に収容する。
【００４７】
後フレーム４７は、除湿フレーム３３の後部に設けられている。よって、加湿ユニット４０は除湿フレーム３３と後フレーム４７との間に配置されている。後フレーム４７は、その上部に、除加湿装置１００の駆動を制御する電装品ユニット９０を収容している。後フレーム４７の中央部には、ベルマウス形状のファンベルマウス４７ａが設けられている。ファンベルマウス４７ａは、後述の加湿部材４１の大きさに応じた開口を有する。加湿部材４１で加湿された空気は、ファンベルマウス４７ａの開口を介してシロッコファン５０側に送風される。
【００４８】
（２−６）シロッコファン５０
シロッコファン５０は、除加湿装置１００内に流入し除加湿装置１００外へ流出する空気流５０２（図７参照）を生成する。シロッコファン５０は、主として、ファンロータ５１と、ファンロータ５１を収容するスクロールケーシング５３と、ファンモータ５５とを含む。
【００４９】
ファンロータ５１は、ファンロータ５１の後側に配設されたファンモータ５５と接続されており、ファンモータ５５が駆動することにより回転する。ファンモータ５５が駆動すると、ファンロータ５１は、空気を回転軸が延びる方向から吸い込み、径方向に吹き出す。
【００５０】
ファンモータ５５は、その回転速度を段階的に切り換えられる。ファンモータ５５の回転速度は、最大風量モード時において最高出力に切り換えられ、最小風量モード時において最低出力に切り換えられる。
【００５１】
スクロールケーシング５３は、ファンロータ５１が収容されるスクロール湾曲部を有する合成樹脂製のケーシング部材である。スクロールケーシング５３は、後フレーム４７の背面部分に固定されている。
【００５２】
スクロールケーシング５３の正面側には、正面方向から見た面積がファンロータ５１と略同一面積の開口が形成されており、当該開口がシロッコファン５０の吸入口５０ａとして機能する。また、スクロールケーシング５３の上部には、開口が形成されており、当該開口がシロッコファン５０の排出口５０ｂとして機能する。排出口５０ｂは、吹出口１１５と接続されており、吹出口１１５が露出すると排出口５０ｂも露出するようになっている。
【００５３】
スクロールケーシング５３の内部には、空気が流れるスクロール流路５３ａおよび排出流路５３ｂが形成されている。具体的には、スクロール流路５３ａは、スクロール湾曲部においてファンロータ５１の外周面の外側に形成され、舌部から離れるにしたがって流路面積が大きくなるように形成されている。排出流路５３ｂは、スクロール流路５３ａと連通して排出口５０ｂまで延びている。よって、排出流路５３ｂへと導かれた空気は、排出口５０ｂから排出される。
【００５４】
このような態様により構成されたシロッコファン５０が駆動されると、室内の空気は、下吸込口１１１及び側方吸込口１１３から除加湿装置１００内に取り込まれ、吹出口１１５から吹き出されて室内へと返される。
【００５５】
（２−７）冷凍サイクルユニット６０
次に、図２及び図６を用いて冷凍サイクルユニット６０を説明する。図６は、冷凍サイクルユニット６０の配管系統図である。
【００５６】
冷凍サイクルユニット６０は、図２に示すように、主として、蒸発器６１、放熱器６３、キャピラリチューブ６５及び圧縮機６７を含む。蒸発器６１、放熱器６３、キャピラリチューブ６５及び圧縮機６７の駆動が主となって冷凍サイクルが機能する。さらに、冷凍サイクルユニット６０は、図６に示すように圧縮機アキュムレータ６９、吐出管サーミスタ６２及び凍結防止サーミスタ６４を含む。
【００５７】
蒸発器６１、放熱器６３、キャピラリチューブ６５及び圧縮機６７は、図６に示すように冷媒配管１２０で接続されている。蒸発器６１、放熱器６３、キャピラリチューブ６５、圧縮機６７及び冷媒配管１２０内には冷媒が循環している。冷媒配管１２０は、圧縮機６７と放熱器６３とを接続する冷媒配管１２０ａと、放熱器６３と蒸発器６１とを接続する冷媒配管１２０ｂと、蒸発器６１と圧縮機６７とを接続する冷媒配管１２０ｃとを有する。
【００５８】
圧縮機６７は冷媒を圧縮する。圧縮された冷媒は、冷媒配管１２０ａを通じて放熱器６３に供給される。放熱器６３は冷媒を凝縮して液化する。このとき、放熱器６３は、放熱器６３周囲に熱を放熱する。放熱器６３を通過して液化された冷媒は、冷媒配管１２０ｂに設けられたキャピラリチューブ６５を通過することによって膨張し、低温低圧の冷媒となる。その後、低温低圧の冷媒は冷媒配管１２０ｂを介して蒸発器６１に導入される。蒸発器６１は冷媒を蒸発させ、蒸発器６１周囲の熱を吸熱して空気中の水分を凝縮する。つまり、蒸発器６１は、除湿運転時に空気を露点以下に冷やす。その後、蒸発器６１を通過して気化された冷媒は、冷媒配管１２０ｃ及び圧縮機アキュムレータ６９を介して圧縮機６７に戻る。冷媒としては、例えば、Ｒ１３４ａ、ＣＯ2など様々な冷媒を適用可能である。
【００５９】
なお、圧縮機６７から放熱器６３に至る冷媒配管１２０は特に吐出管１２０ａと称される。
【００６０】
圧縮機アキュムレータ６９は、蒸発器６１で気化されなかった冷媒が液状のまま圧縮機６７に混入されるのを防止するための部材である。吐出管サーミスタ６２は吐出管１２０ａの温度を測定するための部材である。凍結防止サーミスタ６４は蒸発器６１の温度を測定するための部材である。
【００６１】
蒸発器６１、放熱器６３及び圧縮機６７を含む冷凍サイクルユニット６０が除湿運転時に駆動することで、除湿装置として機能する。本実施形態では、この除湿装置である冷凍サイクルユニット６０を、加湿運転時に利用することで加湿能力を向上させる。この点については後で詳述する。
【００６２】
図３〜図５に示すように、空気流れの上流側から下流側に沿って、蒸発器６１、放熱器６３、加湿部材４１、ファンベルマウス４７ａ、ファンロータ５１及びファンモータ５５の順に配置されている。ファンロータ５１及びファンモータ５５を含むシロッコファン５０は、室内の空気を除加湿装置１００内部に取り込み、取り込んだ空気を除加湿装置１００の上部に導く。
【００６３】
本実施形態では、蒸発器６１の正面方向の面積は放熱器６３よりも小さく形成されている。そのため、蒸発器６１と放熱器６３とは前面側から見て一部分において重畳していない。具体的には、放熱器６３は蒸発器６１よりも上下方向の高さが大きい。よって、蒸発器６１及び放熱器６３を下部において概ね揃えて配置した場合に、蒸発器６１は放熱器６３の下部において重畳しているが、放熱器６３の上部において重畳していない。
【００６４】
加湿部材４１は、図３〜図５等に示すように放熱器６３の後ろに配置されている。図３〜図５等に示すように、蒸発器６１、放熱器６３及び加湿部材４１が順に配置されることで、蒸発器６１及び放熱器６３を通過した空気と、放熱器６３上部のみを通過した空気とが加湿部材４１に供給される。また、放熱器６３及び放熱器６３と加湿部材４１とが重畳していない場合は、蒸発器６１及び放熱器６３を通過していない空気が加湿部材４１に供給される。
【００６５】
（２−８）加湿ユニット４０、水タンク７１
図２に示すように、加湿ユニット４０は、加湿部材４１及び貯留ケース４３を含む。加湿部材４１は、例えばリング状フレーム４１ａに気化フィルタ４１ｂが取り付けられた構造を有する。加湿運転時に、加湿部材４１の気化フィルタ４１ｂから水が気化することで加湿が行われる。加湿部材４１はモータによって回転される。加湿部材４１の回転に連れて、リング状フレームに取り付けられたひしゃく状の部品により水がくみあげられ、回転に伴い乾いた気化フィルタに供給される。また、気化フィルタ４１ｂへの給水を補助するために、リング状フレーム４１ａの穴を通ってリング状フレーム４１ａの内周の気化フィルタ４１ｂに水を供給することができるよう構成されている。水タンク７１は、貯留ケース４３に水を供給するためのタンクである。
【００６６】
脱臭フィルタ２５を通過した空気は、加湿ユニット４０の加湿部材４１を通過する。加湿部材４１を空気が通過する際に、加湿部材４１から空気中に水分が放出される。
【００６７】
（２−９）除湿タンクユニット８０
図２に示すように、除湿タンクユニット８０は、除湿タンク８１及び蓋部８３を含む。除湿タンク８１は蒸発器６１で凝縮された水を貯める。除湿タンク８１は蓋部８３によりその上部が覆われる。蓋部８３の概ね中央部には開口８３ａが設けられている。蒸発器６１により凝縮された水は蓋部８３上に集められ、開口８３ａを介して除湿タンク８１内に貯まる。
【００６８】
（２−１０）電装品ユニット９０
電装品ユニット９０は、後フレーム４７の上部に取り付けられる。この電装品ユニット９０は、各部を制御するための回路部品を搭載したプリント基板９１と、プリント基板９１を覆う電装品箱９２とを含む。このプリント基板に搭載された回路部品が、後述のＣＰＵ２５０及びＲＡＭ２５１等を構成する。その他、回路部品で生じた熱を放熱するための放熱フィン（図示せず）が設けられている。
【００６９】
（３）全体の空気の流れ
図２、図７を参照しながら、除加湿装置１００の全体の空気の流れを説明する。図７は、除加湿装置１００における塵埃の除去および分解の概念を説明するための概念図である。
【００７０】
図２、図７において、シロッコファン５０によって吸込口（下吸込口１１１、第１側方吸込口１１３ａ及び第２側方吸込口１１３ｂ）から吹出口１１５に至る空気の流れ５０１が発生する。第１側方吸込口１１３ａ及び第２側方吸込口１１３ｂから吸い込まれた空気は、放電ユニット１１（第１放電ユニット１１ａ及び第２放電ユニット１１ｂ）に到達する。放電ユニット１１を通過する際に空気に含まれる塵埃等がプラス電荷に帯電する。次に空気はフィルタユニット２０に到達する。他方、下吸込口１１１から吸い込まれた空気はフィルタユニット２０に到達する。
【００７１】
フィルタユニット２０では、空気は先ず、プレフィルタ２１を通過する。その際、比較的大きなホコリや塵が、プレフィルタ２１により空気中から除去される。
【００７２】
プレフィルタ２１を通った空気は、集塵フィルタ２３を通過する。当該空気中の帯電した塵埃等は、集塵フィルタ２３に吸着される。
【００７３】
集塵フィルタ２３を通過した空気は脱臭フィルタ２５を通過し、この際に脱臭される。
【００７４】
脱臭フィルタ２５を通過した空気の一部は蒸発器６１を通過する。除湿運転時は、蒸発器６１の通過によって空気中の水分が凝縮され除湿が行われる。蒸発器６１を通過した空気は、蒸発器６１とともに冷凍サイクルの一部を構成する放熱器６３を通過する。
【００７５】
その後、当該空気は、加湿ユニット４０の加湿部材４１に到達する。加湿運転時は、空気が加湿部材４１を通過することによって、加湿部材４１に含まれた水分が空気中に放出され、加湿される。
【００７６】
フィルタユニット２０及び加湿部材４１を通過して清浄された空気は、吹出口１１５から室内へと吹き出される。また、清浄された空気の一部は、室内へと吹き出されることなく支流５０２となって、ストリーマ放電ユニット１３へ導入される。
【００７７】
ストリーマ放電ユニット１３の放電ストリーマ本体１３ａにおけるストリーマ放電により活性種が生成される。支流５０２はストリーマ放電ユニット１３を通過することにより活性種を含む空気となる。活性種を含む空気は、２つの鉛直通風路部材３３０内を通り、各鉛直通風路部材３３０に形成された複数の放出口３３１からプレフィルタ２１の前に放出される。活性種を含む空気は、吸込空気と混ざり合ってプレフィルタ２１及び集塵フィルタ２３に吸い込まれる。これらの活性種を含んだ空気は、ウィルスやカビ菌、細菌などを不活化または死滅させる。
【００７８】
（４）機能構成
次に、本実施形態に係る除加湿装置１００の機能構成について説明する。図８は、除加湿装置１００の機能構成を示すブロック図である。
【００７９】
除加湿装置１００は、電装品ユニット９０に収容された各種回路部品により構成されるハードウェアとしてのＣＰＵ２５０及びＲＡＭ２５１等を含む。また、除加湿装置１００は、ＣＰＵ２５０により具現される制御部２５０ａと、ＲＡＭ２５１等により具現される所定条件記憶部２５１ａとを機能部として有している。
【００８０】
ユーザが操作パネルカバー１００ｆ−２の各種運転スイッチ１０１及び操作表示部１０２を操作すると、操作情報が電装品ユニット９０の各種回路部品に送信される。各種回路部品により構成されるＣＰＵ２５０は、ＲＡＭ２５１等と協働してユーザの操作に応じた運転を行う。
【００８１】
所定条件記憶部２５１ａは、加湿運転及び除湿運転の開始条件及び停止条件等の所定条件を記憶している。例えば、所定条件としては、加湿運転時の初期においてのみ圧縮機６７を運転する条件が挙げられる。所定条件としては、例えば、湿度の上昇を示す所定の条件が挙げられる。具体的には、所定の条件には、例えば、所定の湿度、加湿運転の開始からの経過時間及び蒸発器６１の温度の少なくとも１つが含まれる。
【００８２】
制御部２５０ａは、所定条件記憶部２５１ａの所定条件等を参照し、除湿運転及び加湿運転を含む運転を制御する。
【００８３】
（５）加湿能力を向上させるための構成
（５−１）配置構成
本実施形態では、加湿能力を向上させるために、放熱器６３を通過した空気が加湿部材４１を通過するように、放熱器６３及び加湿部材４１が配置されている。この構成についてより具体的に以下に説明する。
【００８４】
図９は、除加湿装置１００の側面断面における模式図である。図９に示すように、除加湿装置１００の前面側から、つまり、空気流れの上流側から下流側に沿って、フィルタユニット２０、蒸発器６１、放熱器６３及び加湿部材４１が順に配置されている。加湿部材４１の後部には、ファンベルマウス４７ａ、ファンロータ５１及びファンモータ５５等が配置されている。ファンロータ５１及びファンモータ５５等の駆動により、除加湿装置１００の外部から空気がフィルタユニット２０を介して取り込まれる。その後、フィルタユニット２０から取り込まれた空気は、蒸発器６１、放熱器６３及び加湿部材４１を通過し、吹出口１１５を介して除加湿装置１００外部に放出される。
【００８５】
除湿運転時においては、制御部２５０ａは、蒸発器６１、放熱器６３及び圧縮機６７等を含む冷凍サイクルユニット６０を駆動し、蒸発器６１の空気中の水分を凝縮する機能を利用する。本実施形態では、制御部２５０ａは、加湿運転時においても冷凍サイクルユニット６０を駆動する。放熱器６３は冷媒を凝縮して液化するが、この時に、放熱器６３は放熱器６３周囲に熱を放熱する。ここで、上述の通り、放熱器６３及び加湿部材４１は、吸い込み空気が放熱器６３から加湿部材４１に向かって流れるように配置されている。つまり、吸い込み空気の上流側から下流側に沿って、放熱器６３及び加湿部材４１が順に配置されている。そのため、放熱器６３から放出された熱により放熱器６３から加湿部材４１に向かう空気が温められる。よって、加湿部材４１には温められた空気が供給される。結果として、加湿部材４１からの水の放出量が多くなり加湿能力が向上する。
【００８６】
また、加湿運転終了後において放熱器６３により温められた空気を加湿部材４１に供給する場合には、加湿部材４１の乾燥速度を早めることができる。よって、加湿部材４１に水分が含まれている状態において発生する菌及びカビ等を抑制することができる。
【００８７】
（５−２）加湿部材４１に供給される空気
特に、上記図４、図５及び図９等では、吸い込み空気の上流側から下流側に沿って、蒸発器６１、放熱器６３及び加湿部材４１が順に配置されている。また、上述したように、放熱器６３の上部は蒸発器６１と重畳していない。この場合、加湿部材４１に供給される空気は次のような流れとなる。
【００８８】
図１０は、蒸発器６１及び放熱器６３を介して加湿部材４１に供給される空気の流れを示す模式図である。蒸発器６１前面の空気Ａ１は、蒸発器６１の通過により冷却されて空気Ａ２となる。冷却された空気Ａ２は放熱器６３により温められて空気Ａ３となる。一方、蒸発器６１を通過しない空気Ｂ１は、放熱器６３により温められて空気Ｂ２となる。空気Ｂ２は蒸発器６１を通過せず冷却されないため、空気Ａ３よりも高温となる。よって、より高温の空気Ｂ２を加湿部材４１に供給することができるため、水の放出量が多くなり加湿能力を高めることができる。また、蒸発器６１により冷やされた空気Ａ２が放熱器６３を冷却するため、放熱器６３の放熱効率を向上させることができる。結果として、空気Ｂ２及び空気Ａ３の温度を高め、加湿部材４１に高温の空気を供給し加湿能力を向上することができる。
【００８９】
（６）加湿運転時の制御
制御部２５０ａは、加湿運転時の初期のみにおいて圧縮機６７を駆動する。加湿運転時の初期では、湿度が低いためより早く加湿することが望まれる。加湿運転時の初期において圧縮機６７を運転して冷凍サイクルユニット６０を駆動することで、放熱器６３からの放熱により加湿部材４１に温められた空気を供給する。加湿運転が継続されると湿度は上昇し所定の湿度に到達する。圧縮機６７の運転がさらに継続すると蒸発器６１により除湿が行われるため、制御部２５０ａは加湿運転時の初期のみにおいて圧縮機６７を運転するように制御する。これにより、加湿と除湿とが並行して行われるような圧縮機６７の非効率的な運転を抑制することができる。
【００９０】
より具体的には、制御部２５０ａは、加湿運転時に、湿度の上昇を示す所定の条件に基づいて圧縮機６７を停止する。所定条件記憶部２５１ａは所定の条件を記憶している。湿度の上昇を示す所定の条件には、所定の湿度、加湿運転の開始からの経過時間及び蒸発器６１の温度の少なくとも１つが含まれる。なお、例えば、所定の湿度に到達したこと、加湿運転の開始からの経過時間及び蒸発器の温度等をタイマ及び各種センサ等で検出することによって、湿度の上昇を把握することができる。湿度がある程度上昇した後も圧縮機６７の運転を継続すると蒸発器６１により除湿が行われる。よって、制御部２５０ａは、加湿運転時に湿度が上昇すると圧縮機６７を停止し、圧縮機６７の非効率的な運転を抑制する。
【００９１】
（７）特徴
上記実施形態例の特徴は以下のように記載することができる。
【００９２】
（７−１）
除加湿装置１００は、シロッコファン５０と、冷凍サイクルユニット６０と、加湿部材４１と、制御部２５０ａとを備える。シロッコファン５０は、空気を吸い込み、室内に吹き出す。冷凍サイクルユニット６０は、除湿運転時に吸い込み空気を露点以下に冷やす蒸発器６１と、放熱器６３とを含む。加湿部材４１は、加湿運転時に供給された水を一時的に保持し、水を空気中に放出する。制御部２５０ａは、除湿運転及び加湿運転を含む運転を制御する。ここで、放熱器６３を通過した空気が加湿部材４１を通過するように、放熱器６３及び加湿部材４１が配置されている。制御部２５０ａが加湿運転時に冷凍サイクルユニット６０を動作させることで、放熱器６３を通過して加熱された空気が加湿部材４１を通過する。
【００９３】
放熱器６３及び加湿部材４１は、吸い込み空気が放熱器６３から加湿部材４１に向かって流れるように配置されている。つまり、吸い込み空気の上流側から下流側に沿って、放熱器６３及び加湿部材４１が順に配置されている。ここで、加湿運転時に冷凍サイクルユニット６０が動作することで放熱器６３は熱を放出する。この放出された熱により放熱器６３から加湿部材４１に向かう空気が温められる。よって、加湿部材４１には温められた空気が供給される。そのため、加湿部材４１からの水の放出量が多くなり加湿能力が向上する。
【００９４】
また、加湿運転終了後において放熱器６３により温められた空気を加湿部材４１に供給する場合には、加湿部材４１の乾燥速度を早めることができる。よって、加湿部材４１に水分が含まれている状態において発生する菌及びカビ等を抑制することができる。
【００９５】
なお、吸い込み空気の流れ方向に沿って、放熱器６３及び加湿部材４１が順に重畳するように配置されていればよい。例えば、蒸発器６１及び放熱器６３は、必ずしも吸い込み空気の流れ方向からみて互いに重畳して配置されている必要はない。ただし、蒸発器６１及び放熱器６３が吸い込み空気の流れ方向からみて互いに重畳していてもよい。この場合には、蒸発器６１により冷やされた空気が放熱器６３を冷却するため放熱器６３の放熱効率が向上する。
【００９６】
（７−２）
吸い込み空気の上流側から下流側に沿って蒸発器６１及び放熱器６３が配置される。また、吸い込み空気の流れ方向から見て放熱器６３の一部分は蒸発器６１と重畳していない。
【００９７】
前述の通り、放熱器６３の一部分は蒸発器６１と重畳していない。そのため、吸い込み空気の一部は蒸発器６１を通過せず、放熱器６３の一部分のみを通過して加湿部材４１に供給される。つまり、吸い込み空気の一部は、蒸発器６１によって吸熱されることなく放熱器６３の一部分に供給される。これにより、吸い込み空気の一部は、蒸発器６１によって温度が低下されることなく放熱器６３で温められるため、より高温の空気を加湿部材４１に供給することができる。よって、加湿部材４１での加湿能力をより向上することができる。
【００９８】
（７−３）
放熱器６３には、蒸発器６１と重畳していない一部分側から冷媒が供給される。
【００９９】
ここで、放熱器６３には高温の冷媒が供給される。この高温の冷媒を蒸発器６１と重畳していない一部分から供給する。放熱器６３のうち蒸発器６１と重畳していない一部分では、吸い込み空気は蒸発器６１を通過することなく供給される。よって、放熱器６３のうち蒸発器６１と重畳していない一部分を通過する空気は、蒸発器６１の通過による温度の低下がなく、かつ、高温の冷媒によって温められる。そのため、より高温の空気を加湿部材４１に供給し、加湿部材４１での加湿能力をより向上することができる。
【０１００】
例えば、吸い込み空気の流れ方向から見て放熱器６３の上部が蒸発器６１と重畳していないとする。この場合、放熱器６３の上部から高温の冷媒を供給する。放熱器６３の上部を通過する空気は、蒸発器６１を通過しないため温度が低下せず、かつ高温の冷媒により温められる。そのため、加湿部材４１での加湿能力をより向上することができる。
【０１０１】
（７−４）
冷凍サイクルユニット６０は、蒸発器６１及び放熱器６３に接続される圧縮機６７をさらに含む。制御部２５０ａは、加湿運転時の初期のみにおいて圧縮機６７を運転する。
【０１０２】
ここで、加湿運転時の初期では、湿度が低いためより早く加湿することが望まれる。加湿運転時の初期において圧縮機６７を運転して冷凍サイクルを駆動することで、放熱器６３からの放熱により加湿部材４１に温められた空気を供給する。加湿運転が継続されると湿度は上昇し所定の湿度に到達する。圧縮機６７の運転がさらに継続すると蒸発器６１により除湿が行われるため、制御部２５０ａは加湿運転時の初期のみにおいて圧縮機６７を運転するように制御する。これにより、加湿と除湿とが並行して行われるような圧縮機６７の非効率的な運転を抑制することができる。
【０１０３】
（７−５）
制御部２５０ａは、加湿運転時に、湿度の上昇を示す所定の条件に基づいて圧縮機６７を停止する。
【０１０４】
湿度がある程度上昇した後も圧縮機６７の運転を継続すると蒸発器６１により除湿が行われる。よって、制御部２５０ａは、加湿運転時に湿度が上昇すると圧縮機６７を停止し、圧縮機６７の非効率的な運転を抑制する。
【０１０５】
（７−６）
所定の条件には、所定の湿度、加湿運転の開始からの経過時間及び蒸発器６１の温度の少なくとも１つが含まれる。
【０１０６】
例えば、所定の湿度に到達したこと、加湿運転の開始からの経過時間及び蒸発器６１の温度等をタイマ及び各種センサ等で検出することによって、湿度の上昇を把握することができる。
【０１０７】
（８）変形例
（８−１）変形例１Ａ
上記実施形態では、放熱器６３への冷媒の供給の仕方については特に限定していない。上記図４、図５及び図９等に示すように、蒸発器６１、放熱器６３及び加湿部材４１が順に配置されている。また、放熱器６３は蒸発器６１よりも上下方向の高さが大きい。よって、蒸発器６１及び放熱器６３を下部において概ね揃えて配置した場合に、蒸発器６１は放熱器６３の下部において重畳しているが、放熱器６３の上部において重畳していない。
【０１０８】
このような構成において、本変形例では、放熱器６３には、蒸発器６１と重畳していない一部分側から冷媒が供給される。図１１は、放熱器６３の冷媒配管を示す模式図である。図１１の矢印に示すように、蒸発器６１と重畳していない上部から放熱器６３に冷媒を供給する。よって、放熱器６３の上部の冷媒の温度は、下部の冷媒よりも高温である。このとき、前述の図１０に示すように、放熱器６３のうち蒸発器６１と重畳していない上部には、蒸発器６１を通過していない空気Ｂ１が供給される。よって、空気Ｂ１は、蒸発器６１の通過による温度の低下がなく、かつ、放熱器６３の上部から供給されたより高温の冷媒によって温められる。そのため、より高温の空気を加湿部材４１に供給し、加湿部材４１での加湿能力をより向上することができる。
【０１０９】
本変形例では、放熱器６３がその上部において蒸発器６１と重畳していないため、放熱器６３の上部から冷媒を供給している。放熱器６３が蒸発器６１と重畳していない部分から冷媒を供給すればよいため、放熱器６３における冷媒の供給箇所は上部からには限定されない。例えば、吸い込み空気の流れ方向から見て放熱器６３の下部が蒸発器６１と重畳していないとする。この場合、放熱器６３の下部から高温の冷媒を供給する。放熱器６３の下部を通過する空気は、蒸発器６１を通過しないため温度が低下せず、かつ高温の冷媒により温められる。そのため、より高温の空気を加湿部材４１に供給し、加湿部材４１での加湿能力をより向上することができる。
【０１１０】
（８−２）変形例１Ｂ
（８−２−１）変形例１Ｂの構成
上記実施形態では、蒸発器６１に供給される冷媒の量は調整されていない。蒸発器６１に供給される冷媒の量を調整することで、蒸発器６１での除湿量を調整してもよい。このような構成について以下に説明する。図１２は、冷凍サイクルユニット６０の別の配管系統図である。図１２の冷凍サイクルユニット６０は、上記実施形態の図６と異なり、ホットガスバイパス弁１５０をさらに含む。その他の構成については図６と同様であるので説明を省略する。
【０１１１】
冷凍サイクルユニット６０は、図１２に示すように、蒸発器６１、放熱器６３、キャピラリチューブ６５、圧縮機６７、圧縮機アキュムレータ６９、ホットガスバイパス弁１５０、吐出管サーミスタ６２及び凍結防止サーミスタ６４を含む。ホットガスバイパス弁１５０は、圧縮機６７と蒸発器６１とを接続する経路に設けられている。ホットガスバイパス弁１５０は、圧縮機６７から蒸発器６１に向かう冷媒の量を調整するための弁である。除加湿装置１００の制御部２５０ａは、ホットガスバイパス弁１５０の開度を調節する。これにより、蒸発器６１の温度が調整され、蒸発器６１での除湿量が制御される。
【０１１２】
上記実施形態において、加湿運転時においては、加湿部材４１に供給される空気が放熱器６３により温められる。これにより除加湿装置１００での加湿能力を向上させることができる。一方、蒸発器６１は除湿機能を有しており、加湿能力を低下させる可能性がある。そこで、制御部２５０ａは、加湿運転時に、除湿機能を抑制する場合には、ホットガスバイパス弁１５０の開度を大きくする。これにより、圧縮機６７からの高温の冷媒が蒸発器６１に供給され蒸発器６１の温度が上昇する。よって、蒸発器６１での結露開始ポイントが後ろにずれ、蒸発器６１での除湿を抑制することができる。すなわち、結露開始が遅くなる。結果として、加湿能力の低下を抑制し、上記実施形態での除加湿装置１００での除湿能力をより向上することができる。
【０１１３】
（８−２−２）特徴
上記変形例１Ｂの特徴は以下のように記載することができる。
【０１１４】
除加湿装置１００は、シロッコファン５０と、冷凍サイクルユニット６０と、加湿部材４１と、制御部２５０ａとを備える。シロッコファン５０は、空気を吸い込み、室内に吹き出す。冷凍サイクルユニット６０は、除湿運転時に吸い込み空気を露点以下に冷やす蒸発器６１と、放熱器６３とを含む。加湿部材４１は、加湿運転時に供給された水を一時的に保持し、水を空気中に放出する。制御部２５０ａは、除湿運転及び加湿運転を含む運転を制御する。
【０１１５】
ここで、冷凍サイクルユニット６０は、圧縮機６７と、ホットガスバイパス弁１５０とをさらに含む。圧縮機６７は、蒸発器６１及び放熱器６３に接続される。ホットガスバイパス弁１５０は、圧縮機６７と蒸発器６１とを接続する経路に設けられている。制御部２５０ａは、加湿運転時に、ホットガスバイパス弁１５０の開度を調節することで蒸発器６１の温度を調整し、蒸発器６１での除湿を抑制する。
【０１１６】
このような構成により、上記変形例１Ｂに記載の作用効果を得ることができる。
【０１１７】
（８−３）変形例１Ｃ
（８−３−１）変形例１Ｃの構成
上記実施形態では、蒸発器６１に供給される冷媒の量は調整されていない。蒸発器６１に供給される冷媒の量を調整することで、蒸発器６１での除湿量を調整してもよい。このような構成の別の変形例について以下に説明する。
【０１１８】
図１３は、冷凍サイクルユニット６０の別の配管系統図である。図１３の冷凍サイクルユニット６０は、上記実施形態の図６と異なり、キャピラリチューブ６５の代わりに電動弁１６０を含む。その他の構成については図６と同様であるので説明を省略する。
【０１１９】
冷凍サイクルユニット６０は、図１３に示すように、蒸発器６１、放熱器６３、圧縮機６７、圧縮機アキュムレータ６９、電動弁１６０、吐出管サーミスタ６２及び凍結防止サーミスタ６４を含む。電動弁１６０は、蒸発器６１と放熱器６３との間に設けられている。電動弁１６０は、放熱器６３から蒸発器６１に向かう冷媒の量を調整するための弁である。除加湿装置１００の制御部２５０ａは、電動弁１６０の開度を調節する。これにより、蒸発器６１の温度が調整され、蒸発器６１での除湿量が制御される。
【０１２０】
上記実施形態において、加湿運転時においては、加湿部材４１に供給される空気が放熱器６３により温められる。これにより除加湿装置１００での加湿能力を向上させることができる。一方、蒸発器６１は除湿機能を有しており、加湿能力を低下させる可能性がある。そこで、制御部２５０ａは、加湿運転時に、蒸発器６１と放熱器６３との間に設けられた電動弁１６０の開度を調節する。これにより、放熱器６３からの温かい冷媒が蒸発器６１に供給され蒸発器６１の温度が上昇する。よって、蒸発器６１での結露開始ポイントが後ろにずれ、蒸発器６１での除湿を抑制することができる。結果として、加湿能力の低下を抑制し、上記実施形態での除加湿装置１００での除湿能力をより向上することができる。
【０１２１】
（８−３−２）特徴
除加湿装置１００は、シロッコファン５０と、冷凍サイクルユニット６０と、加湿部材４１と、制御部２５０ａとを備える。シロッコファン５０は、空気を吸い込み、室内に吹き出す。冷凍サイクルユニット６０は、除湿運転時に吸い込み空気を露点以下に冷やす蒸発器６１と、放熱器６３とを含む。加湿部材４１は、加湿運転時に供給された水を一時的に保持し、水を空気中に放出する。制御部２５０ａは、除湿運転及び加湿運転を含む運転を制御する。
【０１２２】
ここで、冷凍サイクルユニット６０は、電動弁１６０をさらに含む。電動弁１６０は、蒸発器６１と放熱器６３との間に設けられている。制御部２５０ａは、加湿運転時に、電動弁１６０の開度を調節することで蒸発器６１の温度を調整し、蒸発器６１での除湿を抑制する。
【０１２３】
このような構成により、上記変形例１Ｃに記載の作用効果を得ることができる。
【０１２４】
（８−４）変形例１Ｄ
上記実施形態では、図４、図５及び図９等に示すように、吸い込み空気の上流側から下流側に沿って、蒸発器６１、放熱器６３及び加湿部材４１が順に配置されている。しかし、吸い込み空気の流れ方向にそって、放熱器６３及び加湿部材４１が順に重畳するように配置されていればよい。よって、例えば、蒸発器６１及び放熱器６３は、必ずしも吸い込み空気の流れ方向からみて互いに重畳して配置されている必要はなく、蒸発器６１及び放熱器６３が上下方向に配置されていてもよい。このような構成について以下に説明する。
【０１２５】
図１４は、蒸発器６１、放熱器６３及び加湿部材４１の別の配置構成を説明する模式図である。図１５は、蒸発器６１及び放熱器６３を介して加湿部材４１に供給される空気の流れを示す模式図である。上記実施形態の図９の構成とは異なり、蒸発器６１と放熱器６３とは上下に配置されている。具体的には、蒸発器６１は放熱器６３の下方に配置されており、放熱器６３は加湿部材４１の空気流れの上流側に配置されている。
【０１２６】
ファンモータ５５の駆動によってシロッコファン５０が駆動すると、フィルタユニット２０を介して除加湿装置１００外部から空気が取り込まれる。取り込まれた空気は放熱器６３を通過して加湿部材４１に供給される。その後、除加湿装置１００上部の吹出口１１５から外部に放出される。より具体的には、図１５に示すように、蒸発器６１前面の空気Ａ１は、蒸発器６１の通過により冷却されて空気Ａ２となる。一方、蒸発器６１を通過しない空気Ｂ１は、放熱器６３により温められて空気Ｂ２となる。空気Ｂ２は蒸発器６１を通過せず冷却されないため、空気Ａ２よりも高温となる。よって、より高温の空気Ｂ２を加湿部材４１に供給することができるため、加湿部材４１からの水の放出量が多くなり加湿能力を高めることができる。
【０１２７】
（８−５）変形例１Ｅ
上記実施形態及び変形例では、放熱器６３の平面積は蒸発器６１の平面積よりも大きく形成されている。しかし、放熱器６３から放出される熱によって加湿部材４１に供給される空気を温めることができればよく、放熱器６３の平面積及び蒸発器６１の平面積は特に限定されない。ただし、上述の通り、放熱器６３の平面積が蒸発器６１の平面積よりも大きい場合には、放熱器６３のみを通過した高温の空気を加湿部材４１に供給することができる。
【産業上の利用可能性】
【０１２８】
本発明は、除湿及び加湿機能を有する種々の除加湿装置に適用可能である。
【符号の説明】
【０１２９】
１１          放電ユニット
１３          ストリーマ放電ユニット
２０          フィルタユニット
２１          プレフィルタ
２３          集塵フィルタ
２５          脱臭フィルタ
４０          加湿ユニット
４１          加湿部材
４１ｂ        気化フィルタ
４３          貯留ケース
５０          シロッコファン
６０          冷凍サイクルユニット
６１          蒸発器
６３          放熱器
６７          圧縮機
８０          除湿タンクユニット
９０          電装品ユニット
１００        除加湿装置
１００ｆ      操作パネルユニット
１００ｆ−２  操作パネルカバー
１００ｆ−３  操作表示蓋
１０１        各種運転スイッチ
１０２        操作表示部
１５０        ホットガスバイパス弁
１６０        電動弁
２５０        ＣＰＵ
２５０ａ      制御部
２５１        ＲＡＭ
２５１ａ      所定条件記憶部
【先行技術文献】
【特許文献】
【０１３０】
【特許文献１】特開２００３−２９４２７７号公報
【図１】
2014231926.tif 000003
【図２】
2014231926.tif 000004
【図３】
2014231926.tif 000005
【図４】
2014231926.tif 000006
【図５】
2014231926.tif 000007
【図６】
2014231926.tif 000008
【図７】
2014231926.tif 000009
【図８】
2014231926.tif 000010
【図９】
2014231926.tif 000011
【図１０】
2014231926.tif 000012
【図１１】
2014231926.tif 000013
【図１２】
2014231926.tif 000014
【図１３】
2014231926.tif 000015
【図１４】
2014231926.tif 000016
【図１５】
2014231926.tif 000017